(57)【要約】【課題】マグネットが有する磁束を有効に利用することによりスピーカとしての音圧を向上させることを目的とする。【解決手段】上記目的を達成するために本発明は、凹部を有するヨーク２３と、前記凹部に設けた第１のマグネット２１と、この第１のマグネット２１の表面に設けた、凸部を有する第１の上部プレート２２とからなる第１の磁気回路２４と、前記第１の上部プレート２２の凸部の周囲面を囲むように前記第１の上部プレート２２の表面に設けた第２のマグネット３１と、この第２のマグネット３１の表面に設けた第２の上部プレート３２とからなる第２の磁気回路３４とを備え、前記第１のマグネット２１と前記第２のマグネット３１は互いに反発するように配置したものである。【選択図】図１
2005295366.tif 000002
【特許請求の範囲】
【請求項１】
凹部を有するヨークと、前記凹部に設けた第１のマグネットと、この第１のマグネットの表面に設けた、凸部を有する第１の上部プレートとからなる第１の磁気回路と、前記第１の上部プレートの凸部の周囲面を囲むように前記第１の上部プレートの表面に設けた第２のマグネットと、この第２のマグネットの表面に設けた第２の上部プレートとからなる第２の磁気回路とを備え、前記第１のマグネットと前記第２のマグネットは互いに反発するように配置されたスピーカ。
【請求項２】
請求項１に記載のスピーカにおいて、第２の上部プレートの表面に第３のマグネットを設け、第２のマグネットと第３のマグネットは互いに反発するように配置されたスピーカ。
【請求項３】
請求項１に記載のスピーカにおいて、第１の磁気回路および第２の磁気回路のいずれかにのみ振動部品を構成したスピーカ。
【請求項４】
請求項１に記載のスピーカにおいて、第２のマグネットの外形寸法がヨークの外形寸法より小さいことを特徴とするスピーカ。
【請求項５】
請求項１に記載のスピーカにおいて、第１のマグネットの体積が第２のマグネットの体積より大きいことを特徴とするスピーカ。
【請求項６】
第１の磁気回路にて変換される電気信号の周波数が第２の磁気回路にて変換される電気信号の周波数より低いことを特徴とするスピーカ。
【請求項７】
請求項１〜６のいずれか１つに記載のスピーカと、電子回路を有するモジュール。
【請求項８】
請求項１〜６のいずれか１つに記載のスピーカを有する電子機器。
【請求項９】
請求項１〜６のいずれか１つに記載のスピーカを搭載した装置。
【請求項１０】
凹部を有するヨークと、前記凹部に設けた第１のマグネットと、この第１のマグネットの表面に設けた、凹部を有する第１の上部プレートとからなる第１の磁気回路と、前記第１の上部プレートの凹部に設けた第２のマグネットと、この第２のマグネットの表面に設けた第２の上部プレートとからなる第２の磁気回路とを備え、前記第１のマグネットと前記第２のマグネットは互いに反発するように配置されたスピーカ。
【請求項１１】
請求項１０に記載のスピーカにおいて、第２の上部プレートの表面に第３のマグネットを設け、第２のマグネットと第３のマグネットは互いに反発するように配置されたスピーカ。
【請求項１２】
請求項１０に記載のスピーカにおいて、第１の磁気回路および第２の磁気回路のいずれかにのみ振動部品を構成したスピーカ。
【請求項１３】
請求項１０に記載のスピーカにおいて、第２のマグネットの外形寸法がヨークの外形寸法より小さいことを特徴とするスピーカ。
【請求項１４】
請求項１０に記載のスピーカにおいて、第１のマグネットの体積が第２のマグネットの体積より大きいことを特徴とするスピーカ。
【請求項１５】
請求項１０に記載のスピーカにおいて、第１の磁気回路にて変換される電気信号の周波数が第２の磁気回路にて変換される電気信号の周波数より低いことを特徴とするスピーカ。
【請求項１６】
請求項１０〜１５のいずれか１つに記載のスピーカと、電子回路を有するモジュール。
【請求項１７】
請求項１０〜１５のいずれか１つに記載のスピーカを有する電子機器。
【請求項１８】
請求項１０〜１５のいずれか１つに記載のスピーカを搭載した装置。
【発明の詳細な説明】
【技術分野】
【０００１】
本発明は、スピーカ、これを用いたモジュールおよびこれを用いた電子機器に関する。
【背景技術】
【０００２】
図１０に従来のスピーカの断面図を示す。このスピーカは一般的に複合型スピーカと呼ばれているものである。
【０００３】
すなわち、第１のスピーカ１の第１の磁気回路２を構成している下部プレート３のセンターポール４と、第２のスピーカ５の第２の磁気回路６を構成している下部プレート７の底面がサポータ８を介して結合しているものである。これら第１のスピーカ１および第２のスピーカ５はスピーカユニットとしては独立しているため、第１、第２の磁気回路２、６もそれぞれ独立したものになっている。
【０００４】
これら第１、第２の磁気回路２、６にはそれぞれ第１、第２の磁気ギャップ９、１０がそれぞれ設けられており、この第１、第２の磁気ギャップ９、１０それぞれに、可動自在に配置された第１、第２のボイスコイル１１、１２に電気信号が印加されることによりこれら第１、第２のボイスコイル１１、１２が励起し、その起振力が第１、第２のボイスコイル１１、１２にそれぞれ結合された第１、第２の振動板１３、１４に伝達される。これら第１、第２の振動板１３、１４が空気を振動させることにより、電気信号を音声に変換するという構成になっていた。
【０００５】
なお、この出願の発明に関連する先行技術文献情報としては、例えば、特許文献１が挙げられる。
【特許文献１】特開平７−２６４６９４号公報
【発明の開示】
【発明が解決しようとする課題】
【０００６】
このとき、磁気回路に設けたマグネットが有する磁束のすべてが磁気ギャップに集中していれば電気信号に対する起振力を損失なく得ることができるが、実際の磁気回路では漏洩磁束が存在するため、音声への変換という点においてマグネットが有する磁束を有効に利用できていなかった。
【０００７】
そこで本発明は、この磁束を有効に利用することによりスピーカとしての音圧を向上させることを目的とする。
【課題を解決するための手段】
【０００８】
この目的を達成するために本発明の請求項１に記載の発明は、凹部を有するヨークと、前記凹部に設けた第１のマグネットと、この第１のマグネットの表面に設けた、凸部を有する第１の上部プレートとからなる第１の磁気回路と、前記第１の上部プレートの凸部の周囲面を囲むように前記第１の上部プレートの表面に設けた第２のマグネットと、この第２のマグネットの表面に設けた第２の上部プレートとからなる第２の磁気回路とを備え、前記第１のマグネットと前記第２のマグネットは互いに反発するように配置したものであり、これにより前記ヨークと前記第１の上部プレートとの間の磁気ギャップにおける磁束が増加し、その結果第１の磁気回路を有するスピーカの音圧を向上させることができるという作用効果を奏する。
【０００９】
また、第１の上部プレートは、第２の磁気回路のヨークの働きもしているためサポータを用いる場合や単に磁気回路を同軸上に２つ配した場合と比べて小型化することができるという作用効果を奏する。
【００１０】
請求項２に記載の発明は、特に、第２の上部プレートの表面に第３のマグネットを設け、第２のマグネットと第３のマグネットは互いに反発するように配置したものであり、第２の上部プレートと第１の上部プレートとの間の磁気ギャップにおける磁束が増加し、その結果第２の磁気回路を有するスピーカの音圧を向上させることができるという作用効果を奏する。
【００１１】
請求項３に記載の発明は、特に、第１の磁気回路および第２の磁気回路のいずれかにのみ振動部品を構成したものであり、これにより一方の磁気回路のみを能動型スピーカとすることができるという作用効果を奏する。
【００１２】
請求項４に記載の発明は、特に、第２のマグネットの外形寸法がヨークの外形寸法より小さいことを特徴とするものであり、複合スピーカとしての漏洩磁気を低減することができる。すなわち、第２のマグネットに対してヨークがシールド効果を有するため全体としての漏洩磁束を低減することができるという作用効果を奏する。
【００１３】
請求項５に記載の発明は、特に、第１のマグネットの体積が第２のマグネットの体積より大きいことを特徴とするものであり、第１のマグネットの体積が大きい分磁束量の絶対値が大きく、この磁束を第１の磁気回路の磁気ギャップに集中させることができるため、第１の磁気回路を有するスピーカの音圧を向上させることができるという作用効果を奏する。
【００１４】
請求項６に記載の発明は、特に、第１の磁気回路にて変換される電気信号の周波数が第２の磁気回路にて変換される電気信号の周波数より低いことを特徴とするものであり、これにより２ウェイ型スピーカを実現することができるという作用効果を奏する。
【００１５】
請求項７に記載の発明は、請求項１〜６のいずれか１つに記載のスピーカと、電子回路を有するモジュールであり、これにより単に磁気回路を同軸上に２つ配したスピーカを有するモジュールと比べて小型化することができるという作用効果を奏する。
【００１６】
請求項８に記載の発明は、請求項１〜６のいずれか１つに記載のスピーカを有する電子機器であり、請求項７と同様の作用効果を奏する。
【００１７】
請求項９に記載の発明は、請求項１〜６のいずれか１つに記載のスピーカを搭載した装置であり、請求項７と同様の作用効果を奏する。
【００１８】
請求項１０に記載の発明は、凹部を有するヨークと、前記凹部に設けた第１のマグネットと、この第１のマグネットの表面に設けた、凹部を有する第１の上部プレートとからなる第１の磁気回路と、前記第１の上部プレートの凹部に設けた第２のマグネットと、この第２のマグネットの表面に設けた第２の上部プレートとからなる第２の磁気回路とを備え、前記第１のマグネットと前記第２のマグネットは互いに反発するように配置したものであり、これにより第１および第２の磁気回路がそれぞれ内磁型の場合も請求項１と同様の作用効果を奏する。
【００１９】
請求項１１に記載の発明は、特に、第２の上部プレートの表面に第３のマグネットを設け、第２のマグネットと第３のマグネットは互いに反発するように配置したものであり、第２の上部プレートと第１の上部プレートとの間の磁気ギャップにおける磁束が増加し、その結果第２の磁気回路を有するスピーカの音圧を向上させることができるという作用効果を奏する。
【００２０】
請求項１２に記載の発明は、特に、第１の磁気回路および第２の磁気回路のいずれかにのみ振動部品を構成したものであり、これにより一方の磁気回路のみを能動型スピーカとすることができるという作用効果を奏する。
【００２１】
請求項１３に記載の発明は、特に、第２のマグネットの外形寸法がヨークの外形寸法より小さいことを特徴とするものであり、複合スピーカとしての漏洩磁気を低減することができる。すなわち、第２のマグネットに対してヨークがシールド効果を有するため全体としての漏洩磁束を低減することができるという作用効果を奏する。
【００２２】
請求項１４に記載の発明は、特に、第１のマグネットの体積が第２のマグネットの体積より大きいことを特徴とするものであり、第１のマグネットの体積が大きい分磁束量の絶対値が大きく、この磁束を第１の磁気回路の磁気ギャップに集中させることができるため、第１の磁気回路を有するスピーカの音圧を向上させることができるという作用効果を奏する。
【００２３】
請求項１５に記載の発明は、特に、第１の磁気回路にて変換される電気信号の周波数が第２の磁気回路にて変換される電気信号の周波数より低いことを特徴とするものであり、これにより２ウェイ型スピーカを実現することができるという作用効果を奏する。
【００２４】
請求項１６に記載の発明は、請求項１０〜１５のいずれか１つに記載のスピーカと、電子回路を有するモジュールであり、これにより単に磁気回路を同軸上に２つ配したスピーカを有するモジュールと比べて小型化することができるという作用効果を奏する。
【００２５】
請求項１７に記載の発明は、請求項１０〜１５のいずれか１つに記載のスピーカを有する電子機器であり、請求項１６と同様の作用効果を奏する。
【００２６】
請求項１８に記載の発明は、請求項１０〜１５のいずれか１つに記載のスピーカを搭載した装置であり、請求項１６と同様の作用効果を奏する。
【発明の効果】
【００２７】
本発明は、凹部を有するヨークと、前記凹部に設けた第１のマグネットと、この第１のマグネットの表面に設けた、凸部を有する第１の上部プレートとからなる第１の磁気回路と、前記第１の上部プレートの凸部の周囲面を囲むように前記第１の上部プレートの表面に設けた第２のマグネットと、この第２のマグネットの表面に設けた第２の上部プレートとからなる第２の磁気回路とを備え、前記第１のマグネットと前記第２のマグネットは互いに反発するように配置したものであり、これにより前記ヨークと前記第１の上部プレートとの間の磁気ギャップにおける磁束が増加し、その結果第１の磁気回路を有するスピーカの音圧を向上させることができるという作用効果を奏する。
【００２８】
また、第１の上部プレートは、第２の磁気回路のヨークの働きもしているためサポータを用いる場合や単に磁気回路を同軸上に２つ配した場合と比べて小型化することができるという作用効果を奏する。
【発明を実施するための最良の形態】
【００２９】
以下、実施の形態および図面を用いて本発明のスピーカ、これを用いたモジュールおよびこれを用いた電子機器について説明する。なお、同様の内容については、その説明を省略して説明する。
【００３０】
（実施の形態１）
以下、本実施の形態１および図１を用いて、本発明の特に、請求項１、請求項４、請求項５に記載の発明について説明する。
【００３１】
図１は、本実施の形態１におけるスピーカの断面図である。
【００３２】
図１によると、着磁された第１のマグネット２１をヨーク２３と第１の上部プレート２２に結合して第１の磁気回路２４を構成している。この第１の磁気回路２４の第１の上部プレート２２に第２のマグネット３１と第２の上部プレート３２を結合して第２の磁気回路３４を構成している。
【００３３】
ここで、第１のマグネット２１と第２のマグネット３１は互いに反発する方向に着磁されており、それぞれの外形寸法をヨーク２３の外形寸法よりも小さくし、ヨーク２３の内側に設けている。そして、第１のマグネット２１の体積を第２のマグネット３１の体積より大きく構成している。
【００３４】
この第１の磁気回路２４のヨーク２３の外周面に第１のフレーム２６を結合し、この第１のフレーム２６の周縁部に第１の振動板２７を結合している。そして、この第１の振動板２７に第１のボイスコイル２８を結合するとともに、この第１のボイスコイル２８をダンパー２９にて中心保持しながら、上記第１の磁気回路２４の磁気ギャップ２５に可動自在に配してスピーカを構成している。
【００３５】
以上の構成とすることで、第１の磁気回路２４と第２の磁気回路３４は、それぞれ磁気ギャップを有する磁気回路を構成しており、さらに第１、第２のマグネット２１、３１が互いに反発する方向に設置されているため、それぞれの磁気回路の磁気ギャップの磁束密度を向上させることができ、その結果、スピーカの音圧レベルの向上を実現することができる。また、高信頼性を維持しつつスピーカの漏洩磁束の低減化を実現することができる。
【００３６】
さらに、従来では低温や高温、さらにはヒートショック等の温度的な環境負荷に弱いとされたマグネット材料を使用しても低温減磁や高温減磁が発生しにくい安定した磁気回路を実現することができる。
【００３７】
また、第１の磁気回路２４を内磁型にしていることや、第１の上部プレート２２を第２の磁気回路３４のヨークとして用いる構成としていることで、スピーカの薄型化、軽量化を図ることもできる。
【００３８】
さらに本実施の形態１の第２の磁気回路３４は、これに振動部品を結合してスピーカを構成した状態とはせず磁気回路のみとしているが、第２の磁気回路３４にもボイスコイル、振動板等を設けてスピーカを構成した場合にはサポータが不要となり、スピーカの薄型化、軽量化、低コスト化を図ることもできる。
【００３９】
また、本発明の請求項４に記載の発明のように、第１のマグネット２１と、第２のマグネット３１の外形寸法はそれぞれヨーク２３の外形寸法よりも小さく構成していることにより、スピーカのさらなる低磁束漏洩化を実現することができる。
【００４０】
また、本発明の請求項５に記載の発明のように、第１のマグネット２１の体積が、第２のマグネット３１の体積より大きい構成としていることにより、スピーカの磁気回路を構成するマグネットの体積と、漏洩磁束や磁束密度のバランスの良い構成とすることができる。すなわち、漏洩磁束をより少なくできることにより小さいマグネットの体積でより大きな磁束密度を得ることができるという効率のよい磁気回路を実現させることができる。
【００４１】
（実施の形態２）
以下、本実施の形態２および図２を用いて、本発明の特に、請求項６に記載の発明について説明する。
【００４２】
図２は、本実施の形態２におけるスピーカの断面図である。
【００４３】
実施の形態１と異なる点は、第２の磁気回路３４にも振動部品を結合して第２のスピーカを構成したものである。
【００４４】
すなわち、第２の磁気回路３４の第２の上部プレート３２に第２のフレーム３６を結合し、この第２のフレーム３６の周縁部に第２の振動板３７を結合している。そして、この第２の振動板３７に第２のボイスコイル３８を結合するとともに、この第２のボイスコイル３８を第２の磁気回路３４の磁気ギャップ３５に挿入して第２のスピーカを構成したものである。
【００４５】
また、この場合、第１の磁気回路２４、第１のボイスコイル２８、第１の振動板２７等で構成された第１のスピーカのダストキャップ３０は、内部にある前記第２のスピーカの音が外部へ放出可能なように、通気性のある材料で構成している。
【００４６】
この構成により、２つのスピーカを複合化した複合型スピーカを実現することができる。
【００４７】
また、本発明の請求項６に記載の発明のように、第１のボイスコイル２８に第２のボイスコイル３８よりも低い周波数成分の信号を入力して構成することにより、第１のスピーカを低音用、第２のスピーカを高音用とする２ウェイ型のスピーカを実現することができる。
【００４８】
（実施の形態３）
本実施の形態３および図３を用いて特に、請求項２に記載の発明について説明する。
【００４９】
図３は本実施の形態３におけるスピーカの断面図である。
【００５０】
実施の形態２と異なる点は、第２の上部プレート３２の表面に第３のマグネット３９を設け、この第３のマグネット３９と第２のマグネット３１は互いに反発するように配している点である。このように第３のマグネット３９を設けることにより第２の磁気回路３４の磁気ギャップ３５の磁束が増加し第２の磁気回路３４を有するスピーカの音圧を向上させることができる。
【００５１】
したがって、上記磁気回路の構成にて実施の形態２で示した複合型スピーカや２ウェイ型のスピーカを作製した場合第１、第２のスピーカの音圧をそれぞれ向上させることができ、迫力のある音を楽しむことができる。
【００５２】
（実施の形態４）
以下、本実施の形態４および図４を用いて、本発明の特に、請求項３に記載の発明について説明する。
【００５３】
図４は、本実施の形態４におけるスピーカの断面図を示したものである。
【００５４】
本実施の形態４が実施の形態２と異なる点は、第１の磁気回路２４と第２の磁気回路３４のいずれか１つの磁気回路にのみすべての振動部品を具備してスピーカを構成したものである。
【００５５】
すなわち、図４に示したスピーカは、第２の磁気回路３４にすべての振動部品を具備させて第２のスピーカを構成し、第１のスピーカはボイスコイルをボビン２８ａだけの状態にした、いわゆるパッシブラジエータである。
【００５６】
この構成により、一方のスピーカのみ能動型にしたパッシブラジエータシステムを構成することができる。
【００５７】
もちろんこの構成は、前述と逆の構成とすることもできる。すなわち、第１のスピーカはすべての振動部品を具備してスピーカを構成し、第２のスピーカはパッシブラジエータとして構成することもできる。
【００５８】
（実施の形態５）
以下、本実施の形態５および図５を用いて、本発明の特に、請求項７に記載の発明について説明する。
【００５９】
図５は本実施の形態５におけるスピーカモジュールの断面図である。
【００６０】
本実施の形態５におけるスピーカモジュール４４は、請求項１から請求項６のいずれか１つに記載のスピーカ４０と、回路基板４５に電子部品４６を実装した電子回路４３とを有したものである。
【００６１】
以上の構成にすることで、スピーカ４０と電子回路４３とを一体にすることにより、生産統合や物流統合、管理項目削減等が可能となり、その結果スピーカ４０を使用した電子機器や装置等の低コスト化を図ることができる。
【００６２】
さらに、テレビジョン等に使用されるブラウン管等の磁気的に弱い部品への悪影響を少なくすることができる。
【００６３】
（実施の形態６）
以下、本実施の形態６および図６を用いて、本発明の特に、請求項８に記載の発明について説明する。
【００６４】
図６は、本実施の形態６における電子機器の要部断面図である。
【００６５】
本実施の形態６は、請求項１から請求項６のいずれか１つに記載のスピーカを搭載した携帯電話を構成したものである。
【００６６】
すなわち、スピーカ４０と電子回路４３と液晶等の表示部４７を外装ケース４８に搭載して電子機器である携帯電話４９を構成したものである。
【００６７】
この構成により、電子機器である携帯電話の高信頼性化、薄型化、軽量化、低コスト化を実現することができる。
【００６８】
さらに、携帯電話に必要なスピーカとレシーバの機能を、本発明の複合型スピーカのそれぞれに対応構成させることで、例えば第１のスピーカを前記スピーカとして、第２のスピーカを前記レシーバとしてそれぞれ用いることで、生産性やコストパフォーマンスが高く、漏洩磁束の少ない携帯電話を得ることができる。
【００６９】
従って、磁気的に弱い、磁気テープや各種磁気カード類、磁気記憶媒体等を携帯電話に近づけてもデータ損出等の危険性を少なくすることができる。
【００７０】
また、人体による影響についても、スピーカのマグネットから発生される直流磁界による影響を少なくすることができる。
【００７１】
（実施の形態７）
以下、本実施の形態７および図７を用いて、本発明の特に、請求項９に記載の発明について説明する。
【００７２】
図７は、本実施の形態７における装置の断面図である。
【００７３】
本実施の形態７は、請求項１から請求項６のいずれか１つに記載のスピーカを搭載した自動車を構成したものである。
【００７４】
すなわち、スピーカ４０を自動車５０のリアトレイに搭載して構成したものである。
【００７５】
この構成により、装置としての自動車５０の小型化、軽量化、低コスト化を実現することができ、特に小型化は、自動車５０の省燃費化等の環境負荷を軽減させることができる。
【００７６】
さらに、自動車５０に搭載されているナビゲーションシステムやブラウン管等の磁気的に弱い電子機器や装置への悪影響を少なくすることができる。
【００７７】
（実施の形態８）
以下、本実施の形態８および図８、図９を用いて特に、請求項１０〜請求項１８に記載の発明を説明する。
【００７８】
図８、図９は、本実施の形態８におけるスピーカの断面図である。
【００７９】
本実施の形態８のスピーカが実施の形態１のそれと異なる点は、凹部を有する第１の上部プレート３３を用いて第２の磁気回路４１を内磁型にしているという点である。
【００８０】
それ以外は請求項１に記載の発明と同様であり、また、図９に示すように第３のマグネット４２を設ける場合は、第２の上部プレート３２の表面に第３のマグネット４２を設ければよい。
【００８１】
以上のように第２の磁気回路４１を内磁型にしても上記実施の形態１〜７に記載の形態を実施することが可能であり、それぞれ同様の効果を奏する。
【産業上の利用可能性】
【００８２】
本発明のスピーカは、音圧を向上させることができるという作用効果および小型化することができるという作用効果を有し、各種モジュール、各種電子機器等に有用である。
【図面の簡単な説明】
【００８３】
【図１】本発明の実施の形態１におけるスピーカの断面図
【図２】本発明の実施の形態２におけるスピーカの断面図
【図３】本発明の実施の形態３におけるスピーカの断面図
【図４】本発明の実施の形態４におけるスピーカの断面図
【図５】本発明の実施の形態５におけるスピーカモジュールの断面図
【図６】本発明の実施の形態６における電子機器の断面図
【図７】本発明の実施の形態７における装置の断面図
【図８】本発明の実施の形態８におけるスピーカの断面図
【図９】本発明の実施の形態８におけるスピーカの断面図
【図１０】従来のスピーカの断面図
【符号の説明】
【００８４】
２１  第１のマグネット
２２  第１の上部プレート
２３  ヨーク
２４  第１の磁気回路
２５  第１の磁気ギャップ
２６  第１のフレーム
２７  第１の振動板
２８  第１のボイスコイル
２９  ダンパー
３０  第１のダストキャップ
３１  第２のマグネット
３２  第２の上部プレート
３３  第１の上部プレート
３４  第２の磁気回路
３５  第２の磁気ギャップ
３６  第２のフレーム
３７  第２の振動板
３８  第２のボイスコイル
３９  第３のマグネット
４０  スピーカ
４１  第２の磁気回路
４２  第３のマグネット
４３  電子回路
４４  スピーカモジュール
４５  回路基板
４６  電子部品
４７  表示部
４８  外装ケース
４９  携帯電話
５０  自動車
【図１】
2005295366.tif 000003
【図２】
2005295366.tif 000004
【図３】
2005295366.tif 000005
【図４】
2005295366.tif 000006
【図５】
2005295366.tif 000007
【図６】
2005295366.tif 000008
【図７】
2005295366.tif 000009
【図８】
2005295366.tif 000010
【図９】
2005295366.tif 000011
【図１０】
2005295366.tif 000012